(57)【要約】      （修正有）【課題】本競技の安全性に優れる特徴を活かし、近所の多目的広場等で、仮設コースによりプレーすることが本競技の発展につながる。それには、一人でコース内を１往復以内の歩き作業で、容易に、しかも、短時間に設営の出来る仮設コース設営用具を提供する。【解決手段】フェアウエー全周の境界線を標示する細紐を、一本で繋ぐ環状に構成して、釘を底面から突き出すよう具備した競技規定の各種マーク、及び、細紐を境界線形成のため補助的に押さえる複数の細紐固定マークを、該環状をする細紐に側面を貫通して固く滑り動くよう装着し、競技規定の各位置や、補助的に使用する位置に配置する。【選択図】図１
0003142723.tif 000002
【実用新案登録請求の範囲】
【請求項１】
ターゲットバードゴルフの仮設コース設営用具において、ターゲットバードゴルフコースのフェアウエーとプレー禁止区域に分ける境界線を、ティーグランド側を開口してコの字形を標示する細紐に、ティーグランドとの境界線標示と共に、フェアウエーの幅を設定する長さの細紐を加えて、境界線全周を一本で連続する環状に構成し、釘を、棒状の底面から突き出すよう具備した競技規定の標識であるティーマーク、ホールエリアマーク、障害区域標示マーク、および、ホールエリアの円形を細紐で形成するために細紐を補助的に押さえる複数の細紐固定マーク、等の各種マークを、該環状をする細紐に側面を貫通して固く滑り動くよう装着し、コースを形成する各位置に移動してコース幅の左右対称に配置したことを特徴とするターゲットバードゴルフの仮設コース設営用具。
【請求項２】
広い両側板を巻き取り軸で連結する糸巻き形状のローラーを、各側板毎に分割して、該各側板毎に、回転軸の支柱を差し込むための回転溝を有する巻き取り軸と、巻き取る紐を係止する突起を形成し、巻き取る紐を該両突起に係止して巻くことで、分割する両側板を一体に構成した、支柱に着脱自在の該ローラーから成る巻取機に、該環状をする細紐を、コースの幅の左右対称位置に装着する各種マークを互いに具備する釘で差して接合することで、離れている二本の細紐をマークの位置毎に一本に纏めて合わせ、ホールエリア側から巻いて納めたことを特徴とする請求項１記載のターゲットバードゴルフの仮設コース設営用具。
【考案の詳細な説明】
【技術分野】
【０００１】  本考案は、ターゲットバードゴルフ（以下、本競技）の仮設コースを設営する用具に関するものである。（ここではアドバンティージホール、および、セカンドホールは考案の対称外なので説明を除く。）
【背景技術】
【０００２】  本競技の仮設コース設営は、通常、次の工程で実施されている。
まず、第一工程として、コースの距離を競技規定にするため、規定の距離に準備された基線と称する紐を、ティーショット位置からコース全体に引き延ばして釘で張り付け固定する。これによりフェアウエーの距離と幅の中心位置、および、円形をするホールエリアの中心位置が決められる。【０００３】  第二工程は、フェアウエーとプレー禁止区域の境界線を細紐で形成して標示し、釘で張り付け固定する。
まず、距離方向の幅の片側の境界線を、前工程で張り付けた基線を基準にして片側半分の幅を測定しながら細紐を釘で張り付け固定し、ティーショット位置からホールエリアにかけての幅の片側の境界線を形成する。次いで、基線の終点を中心にして円形のホールエリアを、その半径を測定しながら細紐を釘で張り付けて形成し、コースをＵターンしながら距離方向の残り片幅の境界線を同様な作業でティーショット位置まで張り付ける。【０００４】  第三工程は標識の標示として、競技規定の各種マークと、コースの案内板を各位置に配置固定する。
まず、競技をスタートする地点のティーショット位置を標示するティーマークをティーグランドとフェアウエーの境界左右に配置固定し、順次、コースの技術的難易度を上げるため、フェアウエーの中間部に設ける池等の障害区域を幅の左右対称の４個で標示する障害区域標示マーク、および、ホールエリアの圏外に打球されたボールの打ち直し位置をコース奥の幅の左右に標示するホールエリアマーク、等の各種マークを配置固定し、最後にコース番号、距離、および、規定打数等を標示したコース案内板をティーグランド付近に設置する。【０００５】  以上で１コース分の仮設コースの設営は完了する訳であるが、競技を行なうにはコースの数をハーフの場合で９コース、フルコースの場合には１８コースの設営が必要になる。
上述の如く、従来の仮設コース設営には距離の測定作業も生じ、一人でコース内を３往復以上歩き廻ることになり、時間と労力を要する。また、工程毎に人数で分担すれば多くの人手を要することになり組織運営に大きな負担となる。そのため、プーレーヤーからは設営作業が敬遠され、組織運営、しいては本競技の発展を阻害する原因にもなる。また、設営備品が複数に分割していることから紛失しやすい問題も生じていた。
【考案の開示】
【考案が解決しようとする課題】
【０００６】  本競技においては、いつでもプレーが出来る常設コースが便利であるが、広大な面積を要する専用グランドを小さな団体が入手するのは困難なことである。また、入手しても維持管理に必要な雑草の駆除や芝刈り作業が負担になる。【０００７】  本競技の普及発展を図るために行なう学校や企業、および、地域社会の高齢者等のグループに紹介する講習会等には、それぞれが所有するグランドや、高齢者の交通の便から近所の公園等で実施することが効果的である。【０００８】  そこで、羽根が付いた柔らかい樹脂ボールにより打球の飛距離を押さえる等、安全性に優れる本競技の特徴を活かし、多目的に利用する集まり易いグランドや、公園等の常に管理された近くの広場で、容易に設営が出来る仮設コースによりプレーすることが本競技の発展につながることになる。それには、仮設コースの設営に距離の測定作業を無くし、一人でコース内を一往復するだけで、容易に、しかも、短時間に行なえることである。
【課題を解決するための手段】
【０００９】  フェアウエーとプレー禁止区域に分ける境界線の標示を巻き取り易い細紐で行ない、距離方向の幅の左右を標示する細紐と、ホールエリアの円形を標示する細紐とをつないでコの字形を構成する細紐に、ティーグランドとの境界線標示と共に、フェアウエーの幅を設定する長さの細紐を加えて、境界線全周を一本で連続する環状に構成する。【００１０】  該環状をする細紐に、棒状をする底面から釘を突き出すよう具備したティーマーク、ホールエリアマーク、障害区域標示マーク、等の競技規定マークの他、ホールエリアの円形を形成するために細紐を補助的に押さえる複数の細紐固定マーク、等の色調のみ異なる各種マークの側面を貫通して固く滑り動くよう装着する。【００１１】  該各種マークを、装着する細紐に沿って移動し、コースを形成する各位置に配置することで、該環状をする細紐はそのまま規定の仮設コースとして使用することが出来、また、収納時には、突き出る釘の先端を、幅の対称位置に配置するマークの底面に形成された溝に互いに差し込んで納め、各対称位置のマークを接合することにより、該環状をする細紐を、マークのある位置毎に一本に纏めて合わせ、この状態をホールエリア側から巻取機に巻いて収納する。【００１２】  該巻取機は、広い両側板を巻き取り軸で連結する糸巻き形状のローラーを、各側板毎に分割して、側板の各外面側を、コース番号、距離、および、規定打数等を標示するコース案内板に構成し、各内面側に、支柱を差し込むための回転溝を有する巻き軸と、巻き取る紐を係止する突起を形成し、巻き取る紐を該両突起に係止して巻くことで、分割する両側板を一体に構成し、垂直に立つ支柱を回転軸にして安定する水平方向の回転と、支柱に回転溝を上方から差し込むだけで装着する、着脱自在の該ローラーから成るように構成することで問題を解決している。
【考案の効果】
【００１３】  上述の如く、本考案による本競技の仮設コース設営用具によれば、該環状をする細紐をホールエリア側から巻くことにより反対側のティーショット側の境界線を形成する細紐を引き出し口にした巻取機を、コース予定地のティーグランドに運び、引き出す細紐に伴って最初に出てくる具備する釘で連結した２個のティーマークを引き離し、その間を繋ぐ細紐を一杯に延ばして具備する釘で地面に固定すれば、ティーグランドとの境界線を標示すると共に、フェアウエーの規定の幅が自動的に形成される。【００１４】  ティーマークを配置固定したら、巻取機を片手に持ち、ホールエリアに向けて細紐を引き出しながら運べば、順次、細紐に装着する各種マークが引き出され、最初に配置したテーマーク間の幅に合わせて各種マークを具備する釘で地面に固定して進めば、２本の細紐が距離方向の規定幅の境界線を自動的に形成標示する。【００１５】  最後に引き出される境界線の形成を補助する複数の細紐固定マークを使い、細紐を一杯に張って円に類似する多角形を形成すれば、規定の広さのホールエリアが形成され、競技規定の仮設コースが形成される。【００１６】  仮設コースが形成されて本考案の巻取機から紐が外れ、支柱からローラーを外せば、糸巻き形状をする該ローラーは、側面毎に分割し、各外面側をコース案内板として活用することが出来るので、コースの張り付け作業を終了したホールエリアから、設営作業を開始したティーグランドに巻取機を持ち帰り、コース案内板として設置すれば仮設コースの完成である。【００１７】  本考案の仮設コース設営用具によれば、細紐の巻き付け、および、引き出し作業時には各種マークを固定する釘の尖った先端は互いのマークで隠れ、幅の左右を形成する離れている二本の細紐はマークの位置毎に一本に纏められてているので、釘による危険と、紐の絡みを防止することが出来、しかも、一人でコース内を一往復することでコース案内板まで含めて短時間にコースの設営が出来るのである。当然、備品は一体化しているので保管管理も容易となる。
【考案を実施するための最良の形態】
【００１８】  以下、本考案の実施形態を図１〜図１３に基ずいて説明する。図１は、本考案の仮設コース設営用具本体１（以下、本体）による実施形態を示す斜視図である。本体１は、コースをフェアウエー２とプレー禁止区域３に分ける境界の標示を、巻き取り易い細紐４で行ない、距離方向の幅の区域を標示する左右２本の細紐４ａと、ホールエリア５の円形を標示する細紐４ｂに、ティーグランド６との境界を標示すると共に、フェアウエー２の幅を設定する長さの細紐４ｃを加えて、全周の境界線を標示する細紐４を一本に繋いで連続する環状に構成している。【００１９】  図２はティーマーク７の正面断面図を示し、図３はティーマーク７の下面図である。（後述する各種マークは、ティーマーク７と色調のみ相違し、形状を同一とするので説明は省略する。）釘８を、底面７ａの中心からピッチＰ１の位置に突き出すよう具備して、テーグランド６とフェアウエー２の境界線と共に、フェアウエー２の幅を左右の２個で標示するティーマーク７、コースの難易度を上げるためフェアウエー２の一部に設ける池等の障害区域１７を左右対称の４個で標示する障害区域標示マーク９、ホールエリア５の圏外に打球されたボールの打ち直し位置を左右対称に標示するホールエリアマーク１０、および、ホールエリア５の円形を形成するために細紐４ｂを補助的に押さえる複数の細紐固定マーク１１、等の各種マークを、細紐４に固く滑り動くよう棒状の側面を貫通して装着し上述の競技規定、および、境界線形成に必要とする各位置に移動して配置することにより仮設コースを形成した形態で、備品一式が一体化している。【００２０】本考案のティーマーク７、および、同形状をする各種マークは、細紐４に固く滑り動くよう装着しているので、ティーマーク７の左右の間隔を変えることでフェアウエー２の幅の変更や、池等の障害区域１７の面積や位置の変更、更には、ホールエリア５の形状変更を可能にしているので、プレーヤーの技術レベルに合わせてコースの難易度を変え、プレーヤーを楽しませると共に、技術向上を図ることが出来る。【００２１】  また、ティーマーク７、および、同形状をする各種マークの底面７ａには、釘８が突き出る中心からのピッチＰ１と対称のＰ２の位置に、突き出る長さＬ１より深いＬ２、太さＤ１より大きい径Ｄ２の溝７ｃを設けているので、図４に示す如く、互いの底面７ａを合わせると互いに突き出た釘８は、互いの溝７ｃに挿入するよう構成している。これにより図８に示す如く、巻取機１２による本体１の巻き取り作業時に、各種マークから突き出る釘８を、左右対称に装着する各種マークの溝７ｃをガイドにして底面７ａを合わせて釘８の尖った先端を隠すことで、巻き取り収納作業時の危険や、紐の絡み防止を図っている。【００２２】  図５は本考案による本体１の、更に他の実施形態を示す斜視図である。環状をする細紐４の途中に図６に示す着脱自在継手１３を設けて、通常は継手１３ａと継手１３ｂが連結して環状の境界線を形成し、図７に示す如く継手１３ａと継手１３ｂを切り離すことで、コースの難易度を更に上げるために高さの高い障害物、例えば公園に生えている大きな樹木１４等をフェアウエー２内に取り込むことが出来る。【００２３】  ��８は本体１を巻取機１２に巻き取る一実施形態を示す斜視図、図９は巻取機１２の一実施例を示す正面断面図、図１０はその上面図、図１１は下面図であり、図１２、図１３はコース案内板として芝の上に配置する一実施例である。これによれば、広い両側板を巻き取り軸で連結する糸巻き形状のローラー１６を、上側板１６ａと下側板１６ｄに分割しで、各側板の外面１６ｂ，１６ｅをコース番号、距離、および、規定打数等を標示するコース案内板に構成し、各内面側に、支柱１５を差し込むための回転溝１６ｉ，１６ｊを有する巻き軸１６ｃ，１６ｆと、巻き取る紐を係止する突起１６ｇ，１６ｈを形成し、巻き取る紐を両突起１６ｇ，１６ｈに合わせて係止し、巻き軸１６ｃ，１６ｆに巻くことで分割する上側板１６ａと下側板１６ｄを一体にし、垂直に立つ支柱１５を回転軸にして安定する水平方向の回転と、支柱１５に、回転溝１６ｉ，１６ｇを上方から差し込むだけで装着する、着脱自在のローラー１６から成る巻取機１２を構成している。
【図面の簡単な説明】
【００２４】
【図１】本考案による仮設コース本体の一実施例を示す斜視図である。
【図２】細紐に装着した一実施例を示すティーマークの正面断面図である。
【図３】同一実施例を示すティーマークの下面図である。
【図４】同一実施例を示すティーマークの各底面を突き合わせた状態の正面断面図である。
【図５】本考案による仮設コース本体の更に他の一実施例を示す斜視図である。
【図６】連続する細紐の途中を着脱自在にする一実施例の継手で、連結する状態を示す正面図である。
【図７】同一実施例を示す継手で連続を切り離した状態を示す正面図である。
【図８】本考案の仮設コース本体を巻取機で巻き取る状態の一実施例を示す斜視図である。
【図９】本考案の巻取機の一実施例を示す正面断面図である。
【図１０】同一実施例を示す上面図である。
【図１１】同一実施例を示す下面図である。
【図１２】上側板によるコース案内板設置の一実施例
【図１３】下側板によるコース案内板設置の一実施例
【符号の説明】
【００２５】１………仮設コース設営用具本体          ９………障害区域標示マーク
２………フェアウエー                  １０………ホールエリアマーク
３………プレー禁止区域                １１………細紐固定マーク
４………細紐                          １２………巻取機
４ａ……距離方向の幅を標示する細紐    １３………着脱自在継手
４ｂ……ホールエリアの円形を標示      １３ａ……継手
する細紐                      １３ｂ……継手
４ｃ……ティーグランドとの境界線標示  １４………樹木
と、コースの幅を設定する細紐  １５………支柱
５………ホールエリア                  １６………ローラー
６………ティーグランド                １６ａ……上側板
７………ティーマーク                  １６ｂ……外面
７ａ……底面                          １６ｃ……巻き軸
７ｂ……側面                          １６ｄ……下側板
７ｃ……溝                            １６ｅ……外面
８………釘                            １６ｆ……巻き軸
１６ｇ……突起
１６ｈ……突起
１６ｉ……回転溝
１６ｊ……回転溝
１７………障害区域
Ｐ１………底面の中心から釘までのピッチ
Ｐ２………底面の中心から溝までのピッチ
Ｌ１………釘の突き出る長さ
Ｌ２………溝の深さ
Ｄ１………釘の太さ
Ｄ２………溝の径
【図１】
0003142723.tif 000003
【図２】
0003142723.tif 000004
【図３】
0003142723.tif 000005
【図４】
0003142723.tif 000006
【図５】
0003142723.tif 000007
【図６】
0003142723.tif 000008
【図７】
0003142723.tif 000009
【図８】
0003142723.tif 000010
【図９】
0003142723.tif 000011
【図１０】
0003142723.tif 000012
【図１１】
0003142723.tif 000013
【図１２】
0003142723.tif 000014
【図１３】
0003142723.tif 000015